(57)【要約】【課題】挟んである物を取り外すことなく連続で挟み込むことの出来る用箋クリップを提供する。【解決手段】回転軸（３）上に複数の回転翼（１）を設け、回転翼（１）の下部に回転小球を設け、回転軸（３）下部に、固定板（２）を設け、固定板（２）上にゴム板（８）を装着することを特徴とする。【選択図】　　　　図１
2004130767.tif 000002
【特許請求の範囲】
【請求項１】
円形の固定板と、回転翼とから成り、該固定板と該回転翼は同心の回転軸により連結され、該回転翼は、一側にそりあがり部を形成した複数の翼により成り、かつ、前記固定板上に形成された単数又は複数の回転小球部が、前記回転翼にあけられた単数又は複数の係り穴と係合可能であり、前記回転翼を把持し、回転させ、ずらしていくことの連続で、単数または複数枚の用紙を保持することを特徴とした回転式の用箋クリップである。
【発明の詳細な説明】
【０００１】
【発明の属する技術分野】
この発明は、固定板に、複数の回転する翼を設け、固定板と翼の間で用紙を止めるクリップに関する物である。
【０００２】
【従来の技術】
従来は、ばねを使い上下で挟み込むクリップがある。又、大きさの異なる小球をクリップ内に形成し、この小球と紙の間に生じる圧力によって紙をはさむ形成のクリップも知られている。
【０００３】
【発明が解決しようとする課題】
これは次のような欠点があった。
従来のクリップでは、挟んである物を一度取り外し、新たに挟み直した。
本発明は、以上の欠点を解決するためになされたものである。
【０００４】
【課題を解決するための手段】
回転軸（３）上に複数の回転翼（１）を設け、回転翼（１）に係り穴（１０）を形成し、この係り穴（１０）に回転小球部（７）を係止する。別に固定板（２）上に突起部（１１）を設け、これを回転翼（１）の下部に、前記回転軸（３）を介して同軸上になるように形成する。固定板（２）の裏側面（４）に磁石、又は両面テープを設ける。
本発明は、以上の構成よりなる回転式の用箋クリップである。
【０００５】
【発明の実施の形態】
以下、本発明の実施の形態について説明する。
（イ）本発明における回転翼（１）は、図１に示すように、回転軸（３）上に複数の回転翼（１）を設け、該回転翼の翼一枚一枚が係止する役割を担うものである。また、該回転翼（１）は係止しやすくするように回転方向側にそりあがり部（６）を設ける。つまみ（５）は回転翼（１）のデザインにより、つけてもつけなくても良い。
（ロ）本発明における回転小球部（７）は、図２に示すように、前記回転翼（１）上に設けられた係り穴（１０）に、該回転小球部（７）の中心線上を通る横軸によって係止される。この点は図示しないが、前記係り穴（１０）を二分割するように貫設された軸を貫いて、該回転小球部（７）は回転自在となる物である。回転小球部（７）は、使わなくてもよいが、使うことにより、より一層回転翼（１）のすべりがよくなる。また、この回転小球の数はひとつの回転翼（１）上において単数としても、複数としてもよい。
（ハ）本発明における固定板（２）は、図３に示すように、回転軸（３）下に固定板（２）を設け、固定板（２）の上に係止の力を強固にする為の突起部（１１）を設ける。
（二）本発明における裏面（４）は、形成された全体を壁面等に掛止可能にするため、固定板（２）の裏面（４）下に磁石か両面テープを設ける。又、図３に示すように、固定板（２）上部にビス穴（１４）を設けてもよい。もしくは回転軸（３）中央に回転軸穴（１３）を設けて、ビスでの固定や裏面（４）への吸盤形成により、取り付ける箇所を適宜変更可能ならしめることが望ましい。
【０００６】
本発明は以上のような構造で、これを使用するときは、図２に示すように、用紙（９）をそり上がり部（６）の下に添えて、つまみを右回りに９０度回転させる。そうすると翼の一枚が回転小球の回転により用紙の上を回転して走るようになり、回転翼（１）と固定板（２）の間に紙が挟まれる。この作業を繰り返すことにより、すでに挟まれた用紙（９）の上に、重なり係止することが出来る。
【０００７】
図３に示すように、突起部（１１）の替りに固定板（２）の上部にゴム板（８）を形成し、用紙（９）を係止する力を強化することができる。
また、回転小球が固定板（２）上を回転し、差し込まれた用紙の先端が引っかからないようにスロープ（１２）を装着することにより、回転小球が固定板（２）より離れ、用紙先端の上にのり、転がるようにすることができる。また、回転小球は、回転ゴムを使用し、係止する力を強固にすることができる。また、回転翼（１）の表面にシールを貼るなどして回転小球を見えなくすることも出来る。
【０００８】
図４は、他の実施例を示すものであり、ひとつの回転翼（１）に対してひとつの回転小球部（７）とした構成を多数用いたものである。回転翼（１）を多数用いたことにより回転翼（１）の回転幅を９０度以下にも９０度以上にもすることが出来る。図５では、回転翼（１）を花びらに、回転軸（３）を花の中心にイメージした形状の他の実施例を示したものであり、図６は、きつねの顔をイメージしたものである。図７は、固定板（２）上部にペン取り付け部（１５）を設け、固定板（２）に装飾を施した物である。図８は、ト音記号を現した物で固定板（２）下部にフック（１６）として形成したものである。図９は、多くの用紙を係止できるよう回転軸（３）にスプリング（１７）を設け、回転翼（１）と固定板（２）との隙間をスプリングの力で把持できるようにした物である。また、固定板（２）上部に、名札（１８）部分を形成し、また、名札（１８）の上部に写真や手紙を押さえるカードホルダー（２０）を設けた物である。図１１は、図１０固定板（２）の断面図で、突起部（１１）が上下可動するよう設けてあり突起上下レバー（１９）が差し込まれて突起部（１１）が持ち上げられた状態を示している。図１２は、図１１での突起上下レバー（９）を引き抜いた状態の物であり、突起部（１１）が固定板（２）表面より沈むことにより紙の取り外しを、容易にした物である。図１３は、回転軸（３を中心にギアを装着した物で、回転翼（１）に回転翼側ギア（２１）を装着固定板（２）に固定板側ギア（２２）を装着し、回転翼側ギア（２１）と固定板側ギア（２２）の間に回転小球ギア（２３）を装着し、回転翼（１）を回転させることで回転翼側ギア（２１）が回転小球ギア（２３）に伝達し、回転小球軸（２４）を伝わり回転小球部（７）が回されて用紙の上を走るようにした物である。このほかに、花、葉っぱ、昆虫、動物、扇風機の翼、地球儀、時計の文字盤、タイヤ、傘、星、渦巻き、風車、ハンドル、貝、ヒトデ、ＣＤ、などの形と、回転翼（１）と固定板（２）を透明にした物などが考えられる。
【０００９】
【発明の効果】
本発明を使用することによって、以前挟んである物を取り外すことなく用紙をクリップすることが出来る。
【図面の簡単な説明】
【図１】本発明の一実施例を示す斜視図
【図２】本発明の使用状態を示す斜視図
【図３】本発明の他の実施例を示す固定板の斜視図
【図４】本発明の他の実施例を示す斜視図
【図５】本発明の他の実施例を示す斜視図
【図６】本発明の他の実施例を示す斜視図
【図７】本発明の他の実施例を示す斜視図
【図８】本発明の他の実施例を示す斜視図
【図９】本発明の他の実施例を示す斜視図
【図１０】本発明の他の実施例を示す固定板の斜視図
【図１１】図１０の固定板の断面図で突起レバーを挿入した状態である。
【図１２】図１０の固定板の断面図で突起レバーを解除した状態である。
【図１３】本発明の他の実施例を示す側面切欠き図である。
【図１４】図１３の分解斜視図である。
【符号の説明】
１　回転翼、２　固定板、３　回転軸、４　裏面、５　つまみ、
６　そりあがり部、７　回転小球部、８　ゴム板、９　用紙、１０　係り穴、
１１　突起部、１２　スロープ、１３　回転軸穴、１４　ビス穴、
１５　ペン取り付け部、１６　フック、１７　スプリング、１８　名札、
１９　突起上下レバー、２０　カードホルダー、２１　回転翼側ギア、
２２　固定板側ギア、２３　回転小球用ギア、　２４　回転小球軸
【図１】
2004130767.tif 000003
【図２】
2004130767.tif 000004
【図３】
2004130767.tif 000005
【図４】
2004130767.tif 000006
【図５】
2004130767.tif 000007
【図６】
2004130767.tif 000008
【図７】
2004130767.tif 000009
【図８】
2004130767.tif 000010
【図９】
2004130767.tif 000011
【図１０】
2004130767.tif 000012
【図１１】
2004130767.tif 000013
【図１２】
2004130767.tif 000014
【図１３】
2004130767.tif 000015
【図１４】
2004130767.tif 000016